(57)【要約】      （修正有）【課題】脊椎を押圧面により押圧するとともに、矯正器具を１部材で構成することで、脊椎を矯正する力を与えることができる脊椎矯正ブロックを提供する。【解決手段】横突起１５と当接し押圧する一対の横突起押圧面１８は面であり、一対の横突起押圧面１８が棘突起収容溝１４の両側双方から拡がるように対称的に形成される。一対の横突起押圧面１８により正常な椎骨Ｔを構成する一対の横突起１５を安定して支持することができる。そして、背中側にはみ出すように歪んだ横突起１５に対しては、横突起押圧面１８の面により、背中側にはみ出すように歪んだ横突起１５と横突起押圧力面１８との当接部を中心として、該当接部が最大圧力となり、該当接部を中心として該当接部の周辺についても横突起１５を中立位置Ｍに押し戻すように圧力を加える。【選択図】図７
0003161666.tif 000002
【実用新案登録請求の範囲】
【請求項１】
人体の脊椎の歪みを矯正するために、設置面となる底面において床面等の支持面上に設置され、仰向けに寝た人体の背中の下に介在して人体の荷重を受けることにより脊椎を矯正する脊椎矯正ブロックであって、
そのブロック形態の上面の中央を凹溝状に前後方向に縦断するように形成され、人体の背中側に突出する脊椎の棘突起の幅より大き溝幅と、該棘突起の突出量より深い溝深さと、成人脊椎の長手方向に複数並んだ棘突起の３個分の間隔より長い溝長さとを有する棘突起収容溝と、
前記ブロック形態の上面において、その棘突起収容溝に沿ってその両側双方に拡がるように対称的に形成され、脊椎の軸線に関して前記棘突起とほぼ直角に両側へ対称的に延びる一対の横突起が、中立位置から脊椎の軸線周りに捻じれて一方は人体の背中側から遠ざかり、他方は背中側へはみ出すように歪んだ状態で、人体の背中側にはみ出すように歪んだ側の横突起を当接させ人体の荷重を利用して押圧することにより前記一対の横突起を前記中立位置の側へ押し戻す作用を奏し、前記棘突起収容溝の溝長さに対応する、成人脊椎の前記横突起三対分の間隔より長い前後長さと、前記横突起の長さより広い横幅とをそれぞれ有する一対の横突起押圧面とを、含み、
前記一対の横突起が脊椎の軸線に関して時計まわりに捻じれて一方の横突起が背中側にはみ出すように歪んだ状態では、その一方の横突起を前記一対の横突起押圧面の一方に当接させ、他方、前記一対の横突起が脊椎の軸線に関して反時計まわりに捻じれて他方の横突起が背中側にはみ出すように歪んだ状態では、その他方の横突起を前記一対の横突起押圧面の他方に当接させて押圧することにより、それぞれ一対の横突起を中立位置の側へ押し戻すことを特徴とする脊椎矯正ブロック。
【請求項２】
前記一対の横突起押圧面は、前記底面に平行な同一平面に沿った、前記棘突起収容溝を挟む各平面として形成され、脊椎の主に胸椎の領域における横突起の矯正に用いられる請求項１に記載の脊椎矯正ブロック。
【請求項３】
前記一対の横突起押圧面は、前記底面に平行な平面を基準にして、前記棘突起収容溝の溝長さ方向に沿って高さが漸次下降した後に漸次上昇する、上側に凹となる凹曲面として形成され、背中に対して凸曲線となる、脊椎の主に胸椎の領域における横突起の矯正に用いられる請求項１に記載の脊椎矯正ブロック。
【請求項４】
前記一対の横突起押圧面は、前記底面に平行な平面を基準にして、前記棘突起収容溝の溝長さ方向に沿って高さが漸次上昇した後に漸次下降する、上側に凸となる膨出曲面として形成され、背中に対して凹曲線となる、脊椎の主に腰椎の領域における横突起の矯正に用いられる請求項１に記載の脊椎矯正ブロック。
【請求項５】
前記ブロック形態の上面は、前記底面に対して前後方向に所定の角度で傾斜する傾斜面で構成され、その傾斜面の中央を前後方向に縦断して該傾斜した上面から一定の溝深さで前記棘突起収容溝が形成され、その溝底も前記底面に対して所定の角度で傾斜する勾配が付けられ、前記一対の横突起押圧面は、その棘突起収容溝の両側に拡がる前後方向の傾斜面として形成され、背中と反対側へ曲がるように延びる、脊椎の主に胸椎から頸椎にかけた領域における横突起の矯正に用いられる請求項１に記載の脊椎矯正ブロック。
【請求項６】
前記一対の横突起押圧面は、前記底面に対して所定の角度で傾斜した同一傾斜平面に沿った、前記棘突起収容溝を挟む各傾斜平面として形成された請求項５に記載の脊椎矯正ブロック。
【請求項７】
前記一対の横突起押圧面は、前記底面に対して所定の角度で傾斜した傾斜平面を基準にして、前記棘突起収容溝の溝長さ方向に沿って高さが漸次上昇した後に漸次下降する、上側に凸となる各傾斜凸曲面として形成された請求項５に記載の脊椎矯正ブロック。
【請求項８】
前記一対の横突起押圧面は、前記底面に対して所定の角度で傾斜した傾斜平面を基準にして、前記棘突起収容溝の溝長さ方向に沿って高さが漸次下降した後に漸次上昇する、上側に凹となる各傾斜凹曲面として形成された請求項５に記載の脊椎矯正ブロック。
【請求項９】
前記一対の横突起押圧面の、前記棘突起収容溝から遠い側の各側縁から前記ブロック形態の各側面にかけて下降傾斜する傾斜面、又は漸次下降する円弧状断面の湾曲面がそれぞれ形成された請求項１ないし８のいずれか１項に記載の脊椎矯正ブロック。
【考案の詳細な説明】
【技術分野】
【０００１】
本考案は、人体の脊椎の歪みを矯正するために、設置面となる底面において床面等の支持面上に設置され、仰向けに寝た人体の背中の下に介在して人体の荷重をうけることにより脊椎を矯正する脊椎矯正ブロックに関する。
【背景技術】
【０００２】
日々の姿勢習慣により姿勢が悪くなると、人体の脊椎は左右や上下方句に歪みが生じる。かかる姿勢習慣が長年に渡り継続すると、脊椎の歪みが悪化する。そして、歪んだ脊椎が脊髄の神経を圧迫する。そのため、自立神経が正常に働かず、歪んだ部分に対応する脊椎の血行が悪くなり、筋肉疲労を起こす。
そこで、歪んだ部分に対応する脊椎の血行を改善するために、歪んだ脊椎を矯正する骨格矯正具が開示されている（特許文献１）。具体的には、一対のクッション部材がシート上に平行に配置され、仰向けに寝た背中の下に当該クッション部材を介在させて、当該骨格矯正器具が人体の荷重をうけることにより、脊椎を矯正するものである。
【先行技術文献】
【特許文献】
【０００３】
【特許文献１】実用新案登録第３１３６９６８号
【考案の概要】
【考案が解決しようとする課題】
【０００４】
しかしながら、上記の骨格矯正具は、脊椎を押圧する部材がクッション性の素材であるため、背中にかかるストレスが緩和される一方、歪んだ脊椎を矯正する力が十分に働かない場合があった。
【０００５】
本考案の課題は、脊椎を押圧面により押圧するとともに、矯正器具を１部材で構成することで、脊椎を矯正する力を与える脊椎矯正ブロックを提供することである。
【課題を解決するための手段及び考案の効果】
【０００６】
本考案は、
人体の脊椎の歪みを矯正するために、設置面となる底面において床面等の支持面上に設置され、仰向けに寝た人体の背中の下に介在して人体の荷重を受けることにより脊椎を矯正する脊椎矯正ブロックであって、
そのブロック形態の上面の中央を凹溝状に前後方向に縦断するように形成され、人体の背中側に突出する脊椎の棘突起の幅より大きい溝幅と、該棘突起の突出量より深い溝深さと、成人脊椎の長手方向に複数並んだ棘突起の３個分の間隔より長い溝長さとを有する棘突起収容溝と、
ブロック形態の上面において、その棘突起収容溝に沿ってその両側双方に拡がるように対称的に形成され、脊椎の軸線に関して棘突起とほぼ直角に両側へ対称的に延びる一対の横突起が、中立位置から脊椎の軸線周りに捻じれて一方は人体の背中側から遠ざかり、他方は背中側へはみ出すように歪んだ状態で、人体の背中側にはみ出すように歪んだ側の横突起を当接させ人体の荷重を利用して押圧することにより一対の横突起を中立位置の側へ押し戻す作用を奏し、棘突起収容溝の溝長さに対応する、成人脊椎の横突起三対分の間隔より長い前後長さと、横突起の長さより広い横幅とをそれぞれ有する一対の横突起押圧面とを、含み、
一対の横突起が脊椎の軸線に関して時計まわりに捻じれて一方の横突起が背中側にはみ出すように歪んだ状態では、その一方の横突起を一対の横突起押圧面の一方に当接させ、他方、一対の横突起が脊椎の軸線に関して反時計まわりに捻じれて他方の横突起が背中側にはみ出すように歪んだ状態では、その他方の横突起を一対の横突起押圧面の他方に当接させて押圧することにより、それぞれ一対の横突起を中立位置の側へ押し戻すことを特徴とする。
【０００７】
本考案の脊椎矯正ブロックは、ブロック状形態に棘突起収容溝と一対の横突起押圧面とを設けるため、部材間の捩れを防止できる。そして、横突起を押圧面により押圧するため、脊椎の軸線に関して一方の横突起が背中側にはみ出すように歪んだ状態において、該一方の横突起を中立位置に押し戻す力を確実に加えることができる。すなわち、特許文献１の骨格矯正器具は、複数部材で構成され、クッションにより脊椎を押圧する。それ故、矯正器具と背中の位置如何によっては、クッション部材の変形や部材間の捩れが生ずる。そのため、歪んだ横突起に対して脊椎を軸とするモーメントが、矯正器具の上に寝る度に変化して、常に一定の矯正効果を得ることができない。
しかし、本考案の脊椎矯正ブロックは、１部材で構成するとともに、押圧面により、横突起を押圧することで、歪んだ横突起に対して脊椎を軸とする一定のモーメントを与えることが可能となる。したがって、本脊椎矯正ブロックを用いることにより、脊椎に対し常に一定の矯正効果を与えることができる。
【０００８】
この場合、一対の横突起押圧面は、底面に平行な同一平面に沿った、棘突起収容溝を挟む各平面として形成され、脊椎の主に胸椎の領域における横突起の矯正に用いる構成とすることができる。このような構成の脊椎矯正ブロックは、当該押圧面が設置面である底面と平行な同一平面である。そのため、人体の荷重により押圧面を介して脊椎矯正ブロックに加わる力の方向は、設置面である底面とほぼ直交し、脊椎矯正ブロックが脊椎の長手方向に移動しない。それ故、脊椎矯正ブロックにより、歪んだ脊椎の箇所を確実に矯正することが可能となる。
【０００９】
他方、本考案の脊椎矯正ブロックは、一対の横突起押圧面は、底面に平行な平面を基準にして、棘突起収容溝の溝長さ方向に沿って高さが漸次下降した後に漸次上昇する、上側に凹となる凹曲面として形成され、背中に対して凸曲線となる、脊椎の主に胸椎の領域における横突起の矯正に用いるものとして構成することができる。成人脊椎は、側方から見ると全体的にややＳ字状をなす。そのため、凹曲面状の横突起押圧面を形成することで、胸椎の形状に適した横突起押圧面とすることができ、使い心地を向上する。さらに、横突起周辺に対しても、押圧面により押圧できるので、捩れた横突起周辺に対しても圧力を加えることが可能となる。それ故、より確実に、捩れた横突起を中立位置に押し戻すことができ、効果的に脊椎を矯正できる。
【００１０】
また、一対の横突起押圧面は、底面に平行な平面を基準にして、棘突起収容溝の溝長さ方向に沿って高さが漸次上昇した後に漸次下降する、上側に凸となる膨出曲面として形成され、背中に対して凹曲線となる、脊椎の主に腰椎の領域における横突起の矯正に用いられるものとして構成することができる。上記の胸椎と同様に、成人脊椎の形状に適した押圧面として横突起押圧面を構成することで、脊椎矯正ブロックの使い心地を向上させるとともに、効果的に脊椎を矯正できる。
【００１１】
本考案の脊椎矯正ブロックにおいては、ブロック形態の上面は、底面に対して前後方向に所定の角度で傾斜する傾斜面で構成され、その傾斜面の中央を前後方向に縦断して該傾斜した上面から一定の溝深さで棘突起収容溝が形成され、その溝底も底面に対して所定の角度で傾斜する勾配が付けられ、一対の横突起押圧面は、その棘突起収容溝の両側に拡がる前後方向の傾斜面として形成され、背中と反対側へ曲がるように延びる、脊椎の主に胸椎から頸椎にかけた領域における横突起の矯正に用いることができる。棘突起収容溝の溝底も底面に対して所定の角度で傾斜する勾配を有することにより、棘突起を棘突起収容溝に確実に収容することができる。そして、一対の横突起押圧面が、棘突起収納溝の両側に拡がる前後方向の傾斜面として形成されることで、成人脊椎の主に胸椎から頚椎にかけて背中と反対側に曲がるように延びる形状にフィットする。そのため、脊椎矯正ブロックの使い心地を向上させるとともに、効果的に脊椎を矯正できる。
【００１２】
この場合、一対の横突起押圧面は、底面に対して所定の角度で傾斜した同一傾斜平面に沿った、棘突起収容溝を挟む各傾斜平面として形成されたものとして構成できる。棘突起収納溝及び一対の横突起押圧面とが、同一傾斜平面として各傾斜面が構成されることにより、脊椎矯正ブロックの加工が容易となる。
【００１３】
また、一対の横突起押圧面は、底面に対して所定の角度で傾斜した傾斜平面を基準にして、棘突起収容溝の溝長さ方向に沿って高さが漸次上昇した後に漸次下降する、上側に凸となる各傾斜凸曲面として形成されたものとして構成できる。一対の横突起押圧面を各傾斜凸曲面とすることで、脊椎矯正ブロックは、成人脊椎の胸椎から頚椎にかけた領域における、脊椎の下部（胸椎方向）の形状にフィットする。
【００１４】
一方、一対の横突起押圧面は、底面に対して所定の角度で傾斜した傾斜平面を基準にして、棘突起収容溝の溝長さ方向に沿って高さが漸次下降した後に漸次上昇する、上側に凹となる各傾斜凹曲面として形成されたものとしても構成できる。この場合は、一対の横突起押圧面を各傾斜凹曲面とすることで、脊椎矯正ブロックは、成人脊椎の胸椎から頚椎にかけた領域における、脊椎の上部（頚椎方向）の形状にフィットする。よって、脊椎の胸椎から頚椎にかけた領域において、矯正ブロックの使い心地を向上させるとともに、効果的に脊椎を矯正できる。
【００１５】
なお、一対の横突起押圧面の、棘突起収容溝から遠い側の各側縁からブロック形態の各側面にかけて下降傾斜する傾斜面、又は漸次下降する円弧状断面の湾曲面がそれぞれ形成されたものとして構成することができる。棘突起収容溝から遠い側の各側縁からブロック形態の各側面にかけて下降傾斜する傾斜面とすることにより、一対の横突起押圧面より、底面の面積が大きくなる。そのため、脊椎矯正ブロックの設置面が安定する。
また、棘突起収容溝から遠い側の各側縁からブロック形態の各側面にかけて漸次下降する円弧状断面の湾曲面とすることでも、設置面の安定性を確保でき、当該各側縁から背中に対し過剰な圧力が加わらず、使い心地を向上させることができる。
【図面の簡単な説明】
【００１６】
【図１】本考案の脊椎矯正ブロックの第一実施例を示す斜視図。
【図２】図１の脊椎矯正ブロックの平面図。
【図３】図１の脊椎矯正ブロックの正面図。
【図４】図１の脊椎矯正ブロックの側面図。
【図５】成人脊椎を示した参考図。
【図６】図５の脊椎に本考案の脊椎矯正ブロックを使用した参考図。
【図７】図１の脊椎矯正ブロックの使用状態を示した断面図。
【図８】図１の脊椎矯正ブロックの棘突起収容溝が角溝状となった変形例。
【図９】図１の脊椎矯正ブロックの斜面が円弧状となった変形例。
【図１０】本考案の脊椎矯正ブロックの第二実施例を示す斜視図。
【図１１】図１０の脊椎矯正ブロックの平面図。
【図１２】図１０の脊椎矯正ブロックの正面図。
【図１３】図１０の脊椎矯正ブロックの側面図。
【図１４】本考案の脊椎矯正ブロックの第三実施例を示す斜視図。
【図１５】図１４の脊椎矯正ブロックの平面図。
【図１６】図１４の脊椎矯正ブロックの正面図。
【図１７】図１４の脊椎矯正ブロックの側面図。
【図１８】本考案の脊椎矯正ブロックの変形例。
【考案を実施するための形態】
【００１７】
以下、本考案を実施するための形態を添付の図面を用いて説明する。図１乃至図４は、本考案の脊椎矯正ブロック１の第一実施例を示すものである。図１は、本考案の脊椎矯正ブロック１の第一実施形態を示す斜視図である。図２乃至４は、図１の脊椎矯正ブロック１の平面図、正面図及び側面図を示したものである。本考案の脊椎矯正ブロック１は、人体２の脊椎３の棘突起１１を収容する棘突起収容溝１４と人体２の脊椎３の横突起１５を押圧する一対の横突起押圧面１８とが、ブロック状形態に形成された構造を有する。
【００１８】
具体的には、脊椎矯正ブロック１の棘突起収容溝１４は、ブロック上面９の中央に、前後方向に縦断するように凹溝１０が形成される。該凹溝１０は、人体２の背中側に突出する脊椎３の棘突起１１の幅より大きい溝幅１２と、該棘突起１１の突出量より深い溝深さを有する。さらに、凹溝１０は、成人の脊椎３が長手方向に複数並んだ棘突起１１の３個分の間隔より長い溝長さ１３を有する。当該凹溝１０は、Ｖ字溝に形成されるため、溝底１９が直線状であるため、溝底１９を底面や曲面とする場合に比べ加工が容易となり、棘突起収容溝１４を加工した後のゴミが少なくなる。
【００１９】
Ｖ字状の凹溝１０を有する棘突起収容溝１４は一対の横突起押圧面１８に挟まれ、一対の横突起押圧面１８は、棘突起収容溝１４に沿って、棘突起収納溝１４の両側双方に拡がるように対称的に形成される。該横突起押圧面１８の前後長さ１６は、成人脊椎３の横突起１５三対分の間隔より長い。かかる前後長さ１６は、棘突起収容溝１４の溝長さ１３に対応する。横突起押圧面１８は、それぞれ、前後長さ１６よりも短い、横幅１７を有する長方形状をなし、棘突起収容溝１４の溝底１９の長さは、前後長さ１６に一致する。
【００２０】
また、一対の横突起押圧面１８は、棘突起収納溝１４を挟む一対の平面である。該横突起押圧面１８は、脊椎矯正ブロック１の底面５に平行な同一平面の上面９として形成される。横突起押圧面１８と底面５とが平行な平面として形成されるため、本脊椎矯正ブロック１は、脊椎３の胸椎３ｂの領域（略直線状の脊椎３を有する領域）における横突起１５の矯正に用いるのが好適となる。
【００２１】
一方、棘突起収容溝１４と反対側の横突起押圧面１８の一辺は、底面５に対して鋭角の斜面２０が形成される。かかる斜面２０は、斜面２０の下縁が底面５に近づくと、底面５に対して、垂直な側面を形成する。垂直な側面を形成することにより、本脊椎矯正ブロック１がコンパクトになる。また、側面が底面５に対して垂直面となるため、脊椎矯正ブロック１を持ち易くなる。
【００２２】
一方、横突起押圧面１８の横幅１７を形成する側の側面は、図４の側面図からも分かるように、底面５に対して垂直な側面を形成する。この場合、溝底１９の高さが傾斜面２０の終端の高さとほぼ一致して形成される。溝底１９の高さと傾斜面２０の終端の高さを一致させて、Ｖ字状の棘突起収容溝１４の斜面と傾斜面２０との傾きを一致させることにより、斜面２０と棘突起収容溝１４を同一の斜面とすることが可能となり、本脊椎矯正ブロック１の大量生産が容易となる。
【００２３】
図５は、成人脊椎３の側面概要図である。成人の脊椎３は、側方から見ると全体的にややＳ字状をなす。Ｓ字状の脊椎３は、上から順番に、頚椎３ｃ、胸椎３ｂ、腰椎３ａとして構成される。脊椎３の各部位は、脊椎３を構成する１つ１つの骨である椎骨Ｔから構成される。具体的には、頚椎３ｃは、７個の椎骨Ｔ、胸椎３ｂは１２個の椎骨Ｔ、胸椎３ｂは５個の椎骨Ｔから構成される。
また、脊椎３は、頚椎３ｃから腰椎３ａに向かうにつれて各椎骨Ｔの大きさが大きくなる。
【００２４】
図６は、図５の成人脊椎３に本考案の脊椎矯正ブロック１を使用した参考図である。Ｓ字状である成人脊椎３において、略直線状となる胸椎３ｂの上部又は下部に本考案の脊椎矯正ブロック１を使用した状態を示すものである。具体的には、図７のように脊椎矯正ブロック１が使用される。かかる場合において、椎骨Ｔは、楕円状の椎体２１の長軸に対向する側に楕円状の脊髄２２が配置される。そして、脊髄２２側の椎体２１側面から、略対称的に一対の横突起１５が配置され、該一対の横突起１５が棘突起１１を基準として略対称になるように該横突起１５の間に棘突起１１が配置される。そして、棘突起１１は、図５及び図６に示すように、人体２の背中側に突出して脊椎３の長手方向に複数並んで配置される。一方、横突起１５は、図７に示すように、脊椎３の軸線Ｏに関して棘突起１１とほぼ直角に両側へ対称的に延びて配置される。そのため、横突起１５が中立位置Ｍから脊椎３の軸線Ｏ周りに捻じれると、一方は人体２の背中側から遠ざかる。また、他方は背中側へはみ出すように歪んだ状態となる（図７（ａ））。
【００２５】
脊椎３が軸線Ｏ周りに捩れた場合には、人体２の背中側にはみ出すように歪んだ側の横突起１５に当該横突起押圧面１８を当接させることができる（図７（ａ））。それ故、人体２の荷重を利用して、横突起押圧面１８により当該横突起１５を押圧することで、一対の横突起１５を中立位置Ｍへ押し戻すことが可能となる。一方、脊椎３が軸線Ｏ周りに捩れていない正常な脊椎３については、横突起押圧面１８が中立位置Ｍに位置し、正常な状態である。そのため、正常な状態の一対の横突起１５に一対の横突起押圧面１８をそれぞれ当接させて、該一対の横突起押圧面１８により押圧することができる（図７（ｂ））。
【００２６】
以下、脊椎矯正ブロック１の使用形態と効果について説明する。図６は、脊椎３の胸椎３ｂに本考案の脊椎矯正ブロック１を用いた状態を示す参考図である。図７は、図６における脊椎３に本考案の脊椎矯正ブロック１を使用した状態の断面図であり、脊椎３の椎骨Ｔが軸線Ｏ周りに捩れていない正常な椎骨Ｇと脊椎３の椎骨Ｔが軸線Ｏ周りに捩れた異常な椎骨Ｂとを示し、異常な椎骨Ｂと正常な椎骨Ｇとを、本脊椎矯正ブロック１が押圧する状態を示す断面図である。脊椎３が軸線Ｏ周りに捩れた異常な椎骨Ｂの、背中側にはみ出すように歪んだ側の横突起１５に該横突起１５に対応する横突起押圧面１８を当接させるとともに（図７（ａ））、脊椎３が軸線Ｏ周りに捩れていない正常な椎骨Ｇの一対の横突起１５に一対の横突起押圧面１８を当接させる（図７（ｂ））。
ここで、一対の横突起押圧面１８の前後長さ１６は、成人脊椎３の横突起１５三対分の間隔より長く、通常、脊椎３が歪むのは、横突起１５三対分中の多くても二対であり、本脊椎矯正ブロック１を使用する脊椎３は、少なくとも一対は歪んでいないものである。そのため、横突起１５三対分の間隔よりも長い一対の横突起押圧面１８を人体２の背中８に当接させることにより、必ず、正常な椎骨Ｇである一対の横突起１５に対してほぼ平行に、一対の横突起押圧面１８が当該正常な椎骨Ｇである一対の横突起１５に当接する。そして、当該一対の横突起押圧面１８が正常な椎骨Ｇである一対の横突起１５を押圧する。
つまり、正常な椎骨Ｇである一対の横突起１５に対しては、脊椎３を構成する椎骨Ｔの軸線Ｏ周りのモーメントは生じない。それ故、正常な椎骨Ｇである一対の横突起１５は一対の横突起押圧面１８を支持することになる（図７（ｂ））。
【００２７】
次に、脊椎３が軸線Ｏ周りに捩れた異常な椎骨Ｂであり、背中側にはみ出すように歪んだ側の横突起１５を考える（図７（ａ））。該横突起１５に対応する側の横突起押圧面１８は、背中側にはみ出すように歪んだ側の横突起１５を押圧し、該横突起１５に対応する胸側に歪んだ側の横突起１５は、他方の横突起押圧面１８に押圧されない。それ故、背中側にはみ出すように歪んだ側の横突起１５に対して、対応する横突起押圧面１８が押圧することにより、歪んだ横突起１５について、脊椎３を構成する椎骨Ｔの軸線Ｏ周りにモーメントを与える。そして、該モーメントは、背中側にはみ出すように歪んだ横突起１５を胸側に押し戻すように作用する。歪んだ横突起１５を押圧する横突起押圧面１８を構成する一対の横突起押圧面１８は、前述のように、正常な椎骨Ｇである一対の横突起１５により、支持される。そのため、背中側にはみ出すように歪んだ横突起１５は、該横突起１５が正常な椎骨Ｇである一対の横突起１５と同様に、中立位置Ｍに位置するまでモーメントが作用し、中立位置Ｍに位置した以降は、モーメントが作用せず、歪んだ脊椎３の椎骨Ｔが正常な位置に矯正される。
【００２８】
横突起１５と当接し押圧する一対の横突起押圧面１８は面であり、一対の横突起押圧面１８が棘突起収容溝１４の両側双方から拡がるように対称的に形成される。そのため、一対の横突起押圧面１８により正常な椎骨Ｔを構成する一対の横突起１５を安定して支持することができる。そして、背中側にはみ出すように歪んだ横突起１５に対しては、横突起押圧面１８の面により、背中側にはみ出すように歪んだ横突起１５と横突起押圧力面１８との当接部を中心として、該当接部が最大圧力となり、該当接部を中心として該当接部の周辺についても横突起１５を中立位置Ｍに押し戻すように圧力を加える。そのため、当接部の周辺からも当該横突起１５に対して力が働くため、背中側にはみ出た横突起１５に対して効率よく回転モーメントを生じさせることができる。したがって、横突起１５を押圧する部材に、一対の横突起押圧面１８を用いることにより、効率よく歪んだ横突起１５に力を加えて、脊椎矯正を効果的に行なうことができる。また、本脊椎矯正ブロック１は、１つのブロックにより構成する場合には、部材間（ブロック間）において、捩れやズレが生じず、効果的に脊椎を矯正できる。また、複数のブロックにより構成した場合には、人体の様々な部位に対応した脊椎矯正ブロック１を製造することができる。
【００２９】
図８は、図１の脊椎矯正ブロック１の変形例として、棘突起収容溝１４の凹溝１０を角溝状に形成した脊椎矯正ブロック１の斜視図である。凹溝１０を角溝状に形成することにより、棘突起収容溝１４の容積を増やすことができる。そのため、Ｖ字状の棘突起収容溝１４に比べ、棘突起を確実に収容することができる。また、コの字状に形成することにより、Ｖ字状に棘突起収容溝１４を斜めに形成する場合に比べて棘突起収納溝１４の加工が容易となる。
図９は、図１の脊椎矯正ブロック１の変形例として、図１の脊椎矯正ブロック１の底面５に対して所定の鋭角で傾斜する傾斜面２０を円弧状の湾曲面として形成したものである。かかる場合、横突起押圧面１８と斜面とが接続される一辺が平滑となり、使い心地が向上する。具体的には、一対の横突起押圧面１８において、前記棘突起収容溝１４から遠い側の各側縁２０から脊椎矯正ブロック１の各側面にかけて、漸次下降する円弧状断面の湾曲面として形成する。つまり、棘突起収容溝１４から遠い側の各側縁からブロック形態の各側面にかけて漸次下降する円弧状断面の湾曲面とすることで、一対の横突起押圧面１８より、底面５の面積が大きくなる。そのため、本脊椎矯正ブロック１の設置面４が安定する。さらに、棘突起収納溝１４から遠い側の各側縁が円弧上断面を有することにより、背中に対して過剰な圧力が加わらず、使い心地が向上する。
【００３０】
次に、図１０乃至図１３は、本考案の脊椎矯正ブロック１の第二実施例を示すものである。本脊椎矯正ブロック１のブロック形態の上面９は、底面５に対して前後方向に所定の角度で傾斜する傾斜面が構成される。棘突起収納溝１４は、該傾斜面の中央を前後方向に縦断して傾斜面である上面９から一定の溝深さを有する。当該棘突起収納溝１４の溝底１９も底面５に対して所定の角度で傾斜する勾配が付けられる。また、一対の横突起押圧面１８は、その棘突起収容溝１４の両側に拡がる前後方向の傾斜面として形成される。
【００３１】
図１１乃至図１３は、図１０の脊椎矯正ブロック１の平面図、正面図及び側面図を示すものである。本脊椎矯正ブロック１は、図１１の平面図に示すように、棘突起収容溝１４を基準として、左右対称に一対の横突起押圧面１８と斜面２０が形成される。そして、該横突起押圧面１８は、前後長さ１６より横幅１７の長さが小さい長方形状である。棘突起収容溝１４と反対側の横突起押圧面１８の前後長さ１６に対応する一辺は、底面５を基準として鋭角となる斜面２０に連なる。該斜面２０は、斜面２０の下縁が底面５に近づくと、底面５に対して、垂直な側面を形成する。垂直な側面を形成することで、本脊椎矯正ブロック１がコンパクトになる。また、側面が底面５に対して垂直面となるため、脊椎矯正ブロック１は、持ち易くなる。また、図１３の側面図に示すように、略平行四辺形状に傾斜面２０が構成される。そして、本脊椎矯正ブロック１が頚椎３ｃの形状にフィットする勾配となるように、斜面２０の下縁を一辺とする三角形状の側面が底面５に垂直に形成される。本脊椎矯正ブロック１が傾斜勾配を有するとともに、棘突起収容溝１４も底面５を基準として、鋭角の勾配を構成する。そのため、棘突起収容溝１４が、横突起押圧面１８とともに底面５に対して所定の勾配を有する。よって、棘突起１１が棘突起収容溝１４に収容される容積を確保できる。なお、本脊椎矯正ブロック１の横突起押圧面１８の横幅１７に対応する前後の側面は、それぞれ平面５を基準として鋭角となるように構成される。
【００３２】
かかる脊椎矯正ブロック１の第二実施例の使用態様と効果について説明する。かかる脊椎矯正ブロック１は、脊椎矯正ブロック１の底面５に対して、一対の横突起押圧面１８及び棘突起収納溝１４が所定の角度で傾斜する傾斜面となる。そのため、脊椎３の胸椎３ｂから頚椎３ｃにかけた領域にフィットした脊椎矯正ブロック１となる。即ち、脊椎３の胸椎３ｂから頚椎３ｃにかけた領域は、背中８と反対側に曲がるように延びるため、かかる湾曲面に対応する傾斜面を有する一対の横突起押圧面１８及び棘突起収納溝１４を備えることで、胸椎３ｂから頚椎３ｃにフィットした脊椎矯正ブロック１となる。
【００３３】
成人の脊椎３の正常な状態は、ややＳ字状に曲がった状態である。そのため、上記のように、一対の横突起押圧面１８を脊椎に沿うように、底面５に対して所定の角度で傾斜する。そのため、仰向けに脊椎矯正ブロック１に寝ても、脊椎の正常な状態を維持できる。よって、脊椎３を傷めることなく、矯正効果を得ることができる。
【００３４】
次に、図１４乃至図１７は、本考案の脊椎矯正ブロック１の第三実施例を示すものである。棘突起収容溝１４の凹溝１０は、溝底１９から上面９の横突起押圧面１８に向かうに連れて略円弧状に拡がる。そのため、頚椎３ｃから腰椎３ａに向かうに連れて大きくなる椎骨Ｔの大きさに対応した、棘突起収容溝１４を形成することができる。また、図１５乃至図１７は、図１４の脊椎矯正ブロックの平面図、正面図及び側面図を示すものである。図１６からも明らかなように、棘突起収容溝１４は、前後長さ１６方向の前後において凹溝１０の広がりが異なる。図１６において破線で示した部分が、脊椎３の下部側の棘突起収容溝１４であり、脊椎３の下部に向かうに連れて、凹溝１０の広がりが大きくなることで、椎骨Ｔの大きさに対応した棘突起収容溝１４を形成できる。そして、成人の脊椎３によりフィットとした脊椎矯正ブロック１を提供できる。また、漸次的に凹溝１０の大きさを拡げない場合でも、脊椎３の下方側に対応する棘突起収容溝１４の凹溝１０を脊椎の上方側の凹溝１９よりも拡げれば、成人の脊椎３にフィットした脊椎矯正ブロック１となる。
【００３５】
以上、本考案の脊椎矯正ブロック１の第一から第三の実施例について説明した。かかる実施例においては、以下の変形例のようにも構成することができる。図１８は、本考案の脊椎矯正ブロック１の変形例を示すものである。図１８（ａ）は、図１の横突起押圧面１８を平面から上に凸形状の凸曲面としたものの側面図である。具体的には、脊椎矯正ブロック１の底面５と平行な平面を基準とし、一対の横突起押圧面１８は、棘突起収容溝１４の溝長さ１３方向に沿って高さが漸次上昇した後に漸次下降する、上側に凸となる膨出曲面として形成される。脊椎３の腰椎３ａの領域における横突起１５は、背中８に対して凹曲面となることから、腰椎３ａの横突起１５を効果的に矯正できる。図１８（ｂ）は、脊椎矯正ブロック１の一対の横突起押圧面１８である上面９が曲面であることを示す側面図である。具体的には、脊椎矯正ブロック１の底面５と平行な平面を基準とし、一対の横突起押圧面１８は、棘突起収納溝１４の溝長さ方向に沿って高さが漸次下降した後に上昇する、上側に凹となる凹曲面として形成される。そのため、脊椎３の胸椎３ｂの領域における横突起１５は、背中８に対して凸曲面となることから、胸椎３ｂの横突起１５を効果的に矯正できる。また、溝長さ方向の縁を丸みを帯びたアール状に縁取りすることで、背中に過度の圧力が加わらず、利便性が向上する。
【００３６】
図１８（ｃ）は、脊椎矯正ブロック１の底面５に対し、一対の横突起押圧面１８及び棘突起収納溝１４が上側に凸となる膨出曲面のまま所定の角度で傾斜する傾斜面となる状態の側面図である。具体的には、脊椎矯正ブロック１の一対の横突起押圧面１８が、底面５に対して所定の角度で傾斜した同一傾斜面に沿った、棘突起収納溝１４を挟む各傾斜面として形成される。脊椎矯正ブロック１の底面５に対して所定の角度で傾斜した傾斜面を基準とした場合、一対の横突起押圧面１８は、棘突起収納溝１４の溝長さ１３方向に沿った高さが、漸次下降する、上側に凸となる各傾斜凸曲面として形成される。
また、同様に、図１８（ｄ）は、突起収容溝１４の溝長さ１３方向に沿って高さが漸次下降した後に漸次上昇する、上側に凹となる各傾斜凹曲面として形成される。
そのため、脊椎３の胸椎３ｂから頚椎３ｃの領域に対応する脊椎３の形状に沿った脊椎矯正ブロック１を提供できる。また、上側に凹となる各傾斜凹曲面において、一対の横突起押圧面１８の前後方向の各端縁へ向かうにつれて、アールを描く縁取りをすることにより、背中に過度の圧力が加わらず、利便性が向上する。
なお、実施例及び変形例は、上述のように示した実施例及び変形例に限定するものではなく、適宜、組み合わせることもできる。
【符号の説明】
【００３７】
１  脊椎矯正ブロック
３  脊椎
３ａ  腰椎
３ｂ  胸椎
３ｃ  頚椎
９  上面
１１  棘突起
１４  棘突起収容溝
１５  横突起
１８  横突起押圧面
２０  斜面
Ｏ  軸線
Ｍ  中立位置
【図１】
0003161666.tif 000003
【図２】
0003161666.tif 000004
【図３】
0003161666.tif 000005
【図４】
0003161666.tif 000006
【図５】
0003161666.tif 000007
【図６】
0003161666.tif 000008
【図７】
0003161666.tif 000009
【図８】
0003161666.tif 000010
【図９】
0003161666.tif 000011
【図１０】
0003161666.tif 000012
【図１１】
0003161666.tif 000013
【図１２】
0003161666.tif 000014
【図１３】
0003161666.tif 000015
【図１４】
0003161666.tif 000016
【図１５】
0003161666.tif 000017
【図１６】
0003161666.tif 000018
【図１７】
0003161666.tif 000019
【図１８】
0003161666.tif 000020